(57)【要約】      （修正有）【課題】小型のレンズ駆動装置を提供する。【解決手段】レンズ駆動装置２において、レンズ光学系２ｎ２と、上記レンズ光学系２ｎ２を保持し光軸方向に移動可能に設けられたレンズ枠２ｂと、上記レンズ枠２ｂを上記光軸方向に移動可能に支持し、上記光軸方向に案内する案内軸２ｃと、上記案内軸２ｃの中心軸周りに螺旋状に形成されたカムを有し、上記案内軸の中心軸周りに回転し、該カムにより上記レンズ枠２ｂを上記光軸方向に駆動する回転カム部材４と、を具備する。【選択図】図３
2013130745.tif 000002
【特許請求の範囲】
【請求項１】
レンズ駆動装置において、
レンズ光学系と、
上記レンズ光学系を保持し光軸方向に移動可能に設けられたレンズ枠と、
上記レンズ枠を上記光軸方向に移動可能に支持し、上記光軸方向に案内する案内軸と、
上記案内軸の中心軸周りに螺旋状に形成されたカムを有し、上記案内軸の中心軸周りに回転し、該カムにより上記レンズ枠を上記光軸方向に駆動するカム部材と、
を具備することを特徴としたレンズ駆動装置。
【請求項２】
上記レンズ枠は枠側部から外方に突き出た凸部と、上記レンズ枠を囲む筐体を有し、上記レンズ枠が上記カム部材の回転により光軸方向に移動するとき、上記凸部が上記筐体内の内面を摺接することを特徴とした上記請求項１記載のレンズ駆動装置。
【請求項３】
上記レンズ枠は、さらに上記案内軸と平行な副案内軸と、上記レンズ枠側部から該副案内軸を挟み、該副案内軸と摺接する被案内部とを有することを特徴とした上記請求項１記載のレンズ駆動装置。
【請求項４】
上記レンズ駆動装置はファインダ光学系に用いられていることを特徴とした上記請求項１乃至３記載のレンズ駆動装置。
【請求項５】
上記レンズ光学系は上記ファインダの視度調整のために用いられていることを特徴とした上記請求項４記載のレンズ駆動装置。
【発明の詳細な説明】
【技術分野】
【０００１】
本発明は、レンズを光軸方向に駆動する装置に関する。さらに詳しくは光学機器、撮像装置等に搭載可能な装置に関する。
【背景技術】
【０００２】
近年、光学機器、撮像装置等、具体的な例としてカメラなどのレンズ鏡筒、ファインダ装置など、レンズを該レンズの光軸方向に駆動するためのより小さな装置が要望される。
【０００３】
これに関連し特許文献１においては、カメラに設けられるファインダブロックが開示されている。このファインダブロックによればレンズを光軸方向に移動させるため、２本のガイド軸とレンズを保持したレンズホルダを光軸方向に駆動するためのカムが開示されている。
【先行技術文献】
【特許文献】
【０００４】
【特許文献１】特開平２−１８８７０８号公報
【発明の概要】
【発明が解決しようとする課題】
【０００５】
特開平２−１８８７０８号公報のこのファインダブロックでは２本のガイド軸とカムという３本の軸状部材を有して、まだ余計なスペースを必要とし、小さなカメラ等に使用するにはまだ不十分な場合もある。
【０００６】
本発明は上記問題点に鑑みてなされたものであり、より小型のレンズ駆動装置を提供することを目的とする。
【課題を解決するための手段】
【０００７】
上記課題を解決するため、本発明のレンズ駆動装置は、レンズ光学系と、上記レンズ光学系を保持し光軸方向に移動可能に設けられたレンズ枠と、上記レンズ枠を上記光軸方向に移動可能に支持し、上記光軸方向に案内する案内軸と、上記案内軸の中心軸周りに螺旋状に形成されたカムを有し、上記案内軸の中心軸周りに回転し、該カムにより上記レンズ枠を上記光軸方向に駆動するカム部材と、を具備する。
【発明の効果】
【０００８】
本発明によれば、不必要にスペースを採らずに、より小型のレンズ駆動装置を提供することができる。
【図面の簡単な説明】
【０００９】
【図１】本発明のレンズ駆動装置を有したファインダユニットを搭載した撮像機器であるカメラの背面の外観斜視図である。
【図２】上記ファインダユニットの背面外観斜視図である。
【図３】上記ファインダユニットの分解斜視図ある。
【図４】上記ファインダユニットをファインダ光学系の光軸を含む平面で断面とし、上記ファインダユニットの視度を正（＋）側上限ディオプタ値に設定したときのファインダユニットの横断面図である。
【図５】上記ファインダユニットをファインダ光学系の光軸を含む平面で断面とし、上記ファインダユニットの視度を負（−）側下限ディオプタ値に設定したときのファインダユニットの横断面図である。
【図６】上記ファインダユニットの背面からの正面外観図である。
【発明を実施するための形態】
【００１０】
以下、本発明の実施例について、図１乃至図６を用いて説明する。
【００１１】
尚、本説明において、光軸前方とはカメラ１から被写体の有る側への方向を言い、光軸後方とはカメラ１から該カメラを撮影、操作する操作者のいる方向への方向を言う。また左側とはカメラから被写体に向かったときの左を言い、右側とはカメラから被写体に向かったときの右を言う。
【００１２】
図１は、本発明の撮像機器である、交換レンズ着脱可能な一眼カメラとしてのカメラ１の背面の外観斜視図である。カメラ１は、ファインダ光学系を有したファインダユニットであるレンズ駆動装置を搭載している。カメラ１はカメラ内部にあるカメラ本体１ｇ（不図示）の上方が上カバー（外装部材）１ｃで覆われている。その中央の上部にストロボ装置などが取り付けられるストロボシュー１ｆが設けられている。
【００１３】
カメラ内部の上方にファインダユニット２が搭載され、ファインダ窓枠１ｄの中にファインダ窓１ａが設けられている。該ファインダ窓１ａの左側方にはファインダ視度調整ダイアル１bが、カメラに取り付けられた交換レンズの光軸Oと平行な軸周りに回転可能に設けられている。
【００１４】
カメラ１の背面には、交換レンズで撮像された、あるいは撮像している画像を表示する液晶表示装置からなる背面表示装置１ｅが設けられている。
【００１５】
図２は上記ファインダユニットの背面外観斜視図である。図３は上記ファインダユニットの分解斜視図ある。図４は上記ファインダユニットの視度を正側上限ディオプタに設定したときのファインダユニットの横断面図である。図５は上記ファインダユニットの視度を負側下限ディオプタに設定したときのファインダユニットの横断面図である。図６は上記ファインダユニットの背面からの正面外観図である。
【００１６】
被写体を撮影画角内に捉えるためのファインダ装置２（ファインダユニット）がカメラ１の内部に具備される。該ファインダ装置２は例えば、カメラ外部から遮光された小さな矩形状の液晶表示装置（表示素子）２ｋを内部に有し、この液晶表示装置２ｋの表示画面に対し一定距離をおいてフィールドレンズ２ｍを対向させ、フィールドレンズ２ｍの光軸O上に視度調整用の視度調整レンズ２ｎをこの光軸方向に移動可能に設けている。
【００１７】
ファインダ装置２は、上記フィールドレンズ２ｍ、視度調整レンズ２ｎ（接眼レンズ）を内部に収納しているファインダ筐体２aを有し、該ファインダ筐体２aは枠状の形状を成している。
【００１８】
ファインダ筐体２ａは略長方形の中空の筒状に形成され、光軸方向のその前後方向はそれぞれに大きな開口を有し、一方の光軸前方の開口は液晶表示装置２ｋが設置され、この液晶表示装置２ｋを固定し、該開口を塞ぐ蓋部材２ｐが設けられる。他方の光軸後方側開口は視度調整レンズ２ｎが光軸方向に移動可能なように開放されたままである。
【００１９】
ファインダ筐体の左側方（被写体に向かったときのファインダ装置の左側方）には、側壁（左側側壁２ａ１４）を有し、この壁の中央には視度調整レンズ２ｎをこの光軸方向に可動可能に移動させるためファインダ筐体側部外方に膨らみを有したカム収納部２ａ２が形成されていて、この内部にガイド軸２ｃを収納する。このカム収納部の下面は特に、後述の付勢バネ、回転カム部材、ガイド軸等を収納するために開放された第１の開口２ａ１０が設けられている。下面部以外は略外部から遮断するように付勢バネ５、回転カム部材４、ガイド軸２ｃ等を覆う。該カム収納部２ａ２は、ファインダ筐体２ａの撮影者側に近い部分に上記側方の壁２ａ１４から垂直に外側方に突き出た第１軸受壁２ａ２−１と、この第１軸受壁２ａ２−１と同様に、被写体側に近い部分に、第１軸受壁２ａ２−１から光軸方向に離間して平行に形成された第２軸受壁２ａ２−２とが形成されている。第１軸受壁２ａ２−１にはガイド軸２ｃの一端部を受ける嵌合孔２ａ３が穿孔されている。また第２軸受壁２ａ２−２にもガイド軸２ｃの他端部を受ける嵌合孔２ａ４が穿孔されている。ファインダ筐体２aの枠の内面で、光軸後方の下部に、後述する移動枠２ｂの下面から外方に凸状に形成された突起２ｂ１が光軸方向に摺動する摺動内面２ａ１１を有する。
【００２０】
また、第１軸受壁２ａ２−１には、ファインダ視度調整ダイアル１bを回転させたときにクリック感をだすための部品であるローラ部材（短軸丸棒部材）７がガイド軸２ｃと平行に設置されるための溝部２ａ５が設けられている。この溝部２ａ５はローラ部材７がガイド軸２ｃと平行に、ガイド軸２ｃに対し、ガイド軸２ｃの径方向に移動可能となるようにカム収納部外面からガイド軸２ｃの中心に向かって形成されたU字状の凹部の形状となっている。
【００２１】
また、カム収納部２ａ２外側近傍には、後述する回転カム部材４を回転駆動するための駆動ギア３を回動可能に軸受けするための軸部２ａ６が形成されている。軸部２ａ６はファインダ装置２の光軸Oと平行に設けられている。
【００２２】
ファインダ筐体２aの上部外面には、溝部２ａ５に納められたローラ部材７を、後述する回転カム部材４と一体のギア部４ｃのギア歯面間に押圧するための板ばね８をネジ９で固定するためのネジ用穴２ａ１５が設けられている。板ばね８はネジ９とネジ用穴２ａ１５とで片持ち梁状にファインダ筐体２aに固定される。自由端がローラ部材７を押圧する。
【００２３】
ファインダ筐体２aの上部外面には、液晶表示装置２ｋに表示を行うための電気素子１０ａと、液晶表示素子との電気的接続を行うコネクタ１０ｂと、さらにカメラ側に設けられた電気装置と接続するためのコネクタ１０ｃとが実装された電気基板１０がネジ１１で固定されるためのネジ用穴２ａ１６が設けられている。
【００２４】
ファインダ筐体２aの下面には、また、第１の開口２ａ１０と繋がり、このファインダ筐体を成形する都合で大きく開放された開口（第２の開口）２ａ１７が有る。
【００２５】
ガイド軸２ｃは均一径の直線状の棒部材（ロッド）であって、一端面の近傍には止め輪１２が嵌合する円周溝２ｃ１を有する。
【００２６】
下板６はファインダ筐体２aの下面の開口（第２の開口）２ａ１７を覆うための板部材であり、そのために、該開口２ａ１７を覆う水平面に平行な第１の覆面部６ａと、この覆面部６ａの右側方の一端から垂直に立ち上がる平面状の第１の立ち上げ部６ｂと、覆面部６ａの左側方の他端から垂直に立ち上がる平面状の第２の立ち上げ部６ｃと、この第２の立ち上げ部６ｃの先端から覆面部６ａと平行で覆面部６ａより面積が小さい上記カム収納部下面を覆う平面状の第２の覆面部６ｄと、この第２の覆面部６ｄの前方端面より垂直に起ち上がる平面状の第３の立ち上げ部６ｆと、この第３の立ち上げ部６ｆの先端から水平方向前方に張り出した第２の覆面部と平行な平面部６ｇと、この平面部６ｇの前方先端から垂直に立ち上がった第４の立ち上げ部６ｈと、第２の覆面部６ｄの後方端面から垂直に立ち上がった第５の立ち上げ部６ｅと、を有する。
【００２７】
第１の立ち上げ部６ｂの先端にはファインダ筐体の右側側壁２ａ１２から外方に突き出た凸部２ａ１３（図４参照）により係止される被係止孔６ｂ１が穿孔されている。
【００２８】
第４の立ち上げ部６ｈの先端近傍には第２軸受壁２ａ２−２から外部に突き出た凸部２ａ９（不図示）により係止される被係止孔６ｈ１が穿孔されている。
【００２９】
第５の立ち上げ部６ｅの先端近傍には第１軸受壁２ａ２−１から外部後方に突き出たガイド軸２ｃを避けるための遊嵌孔６ｅ１と、第１軸受壁２ａ２−１から外部に突き出た凸部２ａ８により係止される被係止孔６ｅ２とが穿孔されている。
【００３０】
視度調整レンズ２ｎは二つのレンズ２ｎ１、２ｎ２からなり、これらはレンズ枠である枠状の視度枠２ｂに保持されている。
【００３１】
視度枠２ｂには外側側方の側壁面２ｂ２から外方に延びる腕部２ｂ３を有し、該腕部の先端に、視度枠２ｂがガイド軸２ｃによって光軸方向に案内されるため光軸Oと平行の貫通孔２ｂ５を有したスリーブ２ｂ４を有する。また視度枠２ｂの外周下面に該スリーブからできるだけ離れた部位に凸部２ｂ１が設けられている（図６参照）。なお、視度枠２ｂの外周はファインダ筐体２ａの内周面及び下板６とは摺動内面２ａ１１を除き隙間を有しながら、視度枠２ｂがファインダ光軸O方向に移動する。
【００３２】
駆動ギア３は、一端面に摺り割り３ｃが設けられ、ファインダ視度調整ダイアル１bの回転を受ける被回転部位３ａと、これと一体の、受けた回転を回転カム部材に伝達するアイドルギアとして他端面にギア部位３ｂが設けられている。そしてこの駆動ギア３の回転中心には軸穴３ｄが設けられ、ファインダ筐体２ａの軸部２ａ６が嵌合し、駆動ギア３は滑らかに回転可能となっている。
【００３３】
回転カム部材４は、一端面に螺旋状のカム面が設けられた筒状のカム部４ｂと、これと一体のギア部４ｃと、このギア部４ｃの中心にはガイド軸２ｃがしまり嵌めとして嵌合する中心軸孔４ａとが設けられている。従って、この回転カム部材４はガイド軸２ｃと伴に回転する。但し、ガイド軸２ｃと中心軸孔４ａとの嵌合は必ずしもしまり嵌めである必要はなく、必要上の精度で遊嵌（すきま嵌め）していてもよい。従って必ずしもこの回転カム部材４はガイド軸２ｃと伴に回転するわけでもない。
【００３４】
ガイド軸２ｃはファインダ筐体２ａの嵌合孔２ａ３、嵌合孔２ａ４に対し滑らかに回転可能に嵌合する。尚、カム部４ｂのカム面４ｄの法線ベクトルの成分は、回転カム部材４の回転中心から放射する方向には成分を有さない。カム部４ｂのカム面は腕部２ｂ３と当接する。
【００３５】
付勢バネ５は、トーションバネ（巻回ばね）であり、このバネの一端部からはバネの一部が直線状に外方に延びた直線腕部５ａと、このバネの他端部にはガイド軸と略平行に延びた短いフック部５ｂとを有している。またフック部のあるバネ５の端部側のトーションバネ内径はスリーブの前方側一端面近傍外径外周にしまり嵌め状態で嵌合可能となっている。そして、フック部はスリーブ２ｂ４の外周に設けられた凹部に挿入されている。
【００３６】
以下にこのファイダ２の組立を主要な発明部分を主として説明する。
【００３７】
ファインダ筐体２ａに液晶表示素子２ｋ、フィールドレンズ２ｍ等を組み込んだ後、視度調整のための主要部品を以下のように組み込む。
【００３８】
視度枠２ｂのスリーブ２ｂ４を回転カム部材４の筒状のカム部４ｂの内側へ配置させ、さらに付勢バネ５のフック部５ｂがある側の端面内径をスリーブ２ｂ４の前方側端面近傍の外径に嵌め、フック部をスリーブ２ｂ４の外周に設けられた凹部に挿入し掛ける。そしてやや付勢バネ５を圧縮した状態でこのままのファインダ筐体２ａのカム収納部２ａ２内に収納する。このとき視度枠２ｂの腕部２ｂ３と回転カム部材４のカム面と当接させておく。付勢バネ５の直線腕部５ａはカム収納部の内壁に当接し、その結果として視度枠２ｂは、撮影者側からファインダユニット２を臨んだときに、ガイド軸２ｃを中心として時計方向に付勢され突起２ｂ１が摺動内面２ａ１１と当接し、その当接が維持される。
【００３９】
そしてガイド軸２ｃを外部から、嵌合孔２ａ３、嵌合孔２ａ４のどちらか一方から内部に挿入し、さらにスリーブ２ｂ４の貫通孔２ｂ５と回転カム部材４の中心軸孔４ａに貫通させる。そして、ガイド軸２ｃは嵌合孔２ａ３、嵌合孔２ａ４によって両端が回転可能に支持され、カム収納部の内部において嵌合孔２ａ３と嵌合孔２ａ４の間には前方側から付勢バネ５、スリーブ２ｂ４、回転カム部材４が並ぶ。この状態ではガイド軸２ｃの円周溝２ｃ１は外部に露出している。
【００４０】
この後、ファインダ筐体２ａの下部の第２の開口２ａ１７とカム収納部下部の第１の開口２ａ１０を塞ぐため、下板６をファインダ筐体２ａの下方からファインダ筐体下面にあてがう。そして、第１の覆面部６ａが第２の開口２ａ１７を、第２の覆面部６ｄがカム収納部下部の第１の開口２ａ１０を覆う。この状態でこの下板６をファインダ筐体２ａに固定するため被係止孔６ｂ１には凸部２ａ１３が嵌入し係合する。かつ、被係止孔６ｈ１には凸部２ａ９（不図示）が嵌入し係合し、さらに被係止孔６ｅ２には凸部２ａ８が嵌入し係合する。なお、第５の立ち上げ部６ｅの遊嵌孔６ｅ１にはガイド軸２ｃの一端部が遊嵌している。
【００４１】
そして第５の立ち上げ部６ｅが第１軸受壁２ａ２−１の面から浮き上がるのを防止するためガイド軸２ｃの円周溝２ｃ１には止め輪１２が嵌められる。
【００４２】
この後、溝部２ａ５にはローラ部材７が、カム収納部２ａ２内に回転可能に収納されたギア部４ｃのギア歯間にギア部４ｃの径方向に移動可能に配置される。そしてローラ部材７は板ばね８によりギア部４ｃの回転中心方向（ガイド軸方向へ）へ押圧される。板ばね８はネジ９によりファインダ筐体２ａのネジ用穴２ａ１５に螺着、固定される。
【００４３】
電気基板１０はネジ１１によりファインダ筐体２ａのネジ用穴２ａ１６に螺着、固定される。この後、液晶表示素子２ｋに接続されているフレキシブルプリント基板２ｋ１の接続端子を電気基板１０に実装されたコネクタ１０ｂに挿入し、液晶表示素子２ｋと電気基板１０との電気的接続が完成する。
【００４４】
そして最後にファインダ筐体２ａの軸部２ａ６に駆動ギア３の軸穴３ｄを嵌合させ駆動ギア３を装填し、ファインダユニット２が完成する。
【００４５】
ファインダユニット２はカメラ本体に装填され、上カバー（外装部材）１ｃで覆われる。このとき、ファインダ視度調整ダイアル１bが有する回転軸（不図示）が駆動ギア３の摺り割り３ｃと嵌合し被回転部位３ａと結合する。こうしてファインダ視度調整ダイアル１bの回転により、駆動ギア３を介して回転カム部材４を回転させることが可能となる。
【００４６】
カメラ本体に装填された該実施態様のファインダユニット２の動作を説明する。
【００４７】
ファインダユニット２は、図示せぬカメラ側電気装置とコネクタ１０ｃを介して電気的に接続され、図示せぬカメラ制御手段により、電気基板１０に実装された電気素子１０ａを介して液晶表示装置（表示素子）２ｋに画像を表示する。撮影者（操作者）は撮影の必要に応じファインダ窓１ａから視度調整レンズ２ｎ、フィールドレンズ２ｍを介して液晶表示装置に表示された被写体の画像を観察できる。撮影者は自分の視度に応じてファインダ内の画像の見え具合を調整するためにファインダ視度調整ダイアル１bを回転させる。するとファインダ視度調整ダイアル１bから、駆動ギア３を介して回転カム部材４を回転させ、視度枠２ｂの腕部２ｂ３がカム部４ｂのカム面と摺接してファインダ光軸Oの方向に進退する。ファインダ視度調整ダイアル１bが静止状態にあるとき、ローラ部材７が板ばね８によりギア部４ｃのギア歯とギア歯の間、すなわち谷部に押圧されているので回転カム部材４が回転するとこの板ばねの押圧力に抗してローラ部材７がギア歯を乗り上げ（乗り越し）、隣の谷部に入る。そしてクリック感を撮影者に与える。また視度枠２ｂの凸部２ｂ１はファインダ筐体２ａの摺動内面２ａ１１に当接、摺動するので、回転カム部材が回転してもガイド軸２ｃを中心とする回動が付勢バネ５の付勢力によって抑止（抑制、規制）されている。尚、摺動内面２ａ１１と凸部２ｂ１が当接しているので視度枠２ｂは回転しないが、この構成の換わりに従来からある、例えばファインダ筐体にファインダ光学系の光軸Oと平行な直線溝を設け、これに上記凸部２ｂ１を嵌入させ、上記凸部２ｂ１を摺動させてもよい。また、さらに別実施態様として、上記凸部とこれが摺接する上記筐体内の摺接面の換わりに、上記案内軸と平行な副案内軸と、上記レンズ枠が上記レンズ枠側部からレンズ枠が回転しないように該副案内軸をフォーク状に挟み、該副案内軸と摺接する被案内部とを有していてもよい。
【００４８】
本発明によれば、レンズを移動駆動するためのガイド軸の本数を削減でき、不必要にスペースを採らずに、より小型のレンズ駆動装置を提供することができる。従って、本願実施態様の説明の他に光学装置としてのレンズ鏡筒のレンズ駆動などの、例えば、焦点調節のためのレンズ駆動、ズームのためのレンズ駆動などに用いることも出来る。また、本実施形態においては視度調整レンズ２ｎを視度枠（レンズ枠、移動枠）に保持させたものを説明したが、これを一体として成型したものでも構わない。すなわち、視度調整レンズそのものと腕部とスリーブとを一体的に射出成型したものをレンズ手段とするならば、本発明に係わるレンズ駆動装置は、レンズ手段と、このレンズ手段を光軸方向に移動可能に支持し、該光軸方向に案内する案内軸と、該案内軸の中心軸周りに螺旋状に形成されたカムを有し、該案内軸の中心軸周りに回転し、該カムにより該レンズ手段を該光軸方向に駆動するカム部材と、を具備しているレンズ駆動装置といえる。
【００４９】
以上のように本願の場合は、螺旋状のカムを案内軸とは別に配置する必要などなくなり余計なスペースを必要としない。
【００５０】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【００５１】
１・・・カメラ
１ａ・・・ファインダ窓
１ｂ・・・ファインダ視度調整ダイアル
１ｃ・・・上カバー（外装部材）
１ｄ・・・ファインダ窓枠
１ｅ・・・背面表示装置（液晶表示装置）
１ｆ・・・ストロボシュー
２・・・ファインダユニット（ファインダ部組、ファインダ装置）
２ａ・・・ファインダ筐体
２ａ１・・・
２ａ２・・・カム収納部
２ａ２−１・・・第１軸受壁
２ａ２−２・・・第２軸受壁
２ａ３・・・嵌合孔
２ａ４・・・嵌合孔
２ａ５・・・溝部
２ａ６・・・軸部
２ａ７・・・ネジ用穴
２ａ８・・・凸部（突起）
２ａ１０・・・第１の開口
２ａ１１・・・摺動内面（摺接内面）
２ａ１２・・・右側側壁
２ａ１３・・・凸部
２ａ１４・・・左側側壁
２ａ１５・・・ネジ用穴
２ａ１６・・・ネジ用穴
２ａ１７・・・第２の開口
２ｂ・・・視度枠（移動枠）
２ｂ１・・・凸部（突起）
２ｂ２・・・側壁面
２ｂ３・・・腕部
２ｂ４・・・スリーブ
２ｂ５・・・貫通孔
２ｃ・・・ガイド軸
２ｃ１・・・円周溝
２ｋ・・・液晶表示装置
２ｍ・・・フィールドレンズ
２ｎ・・・視度調整レンズ
２ｐ・・・蓋部材
３・・・駆動ギア
３ａ・・・被回転部位
３ｂ・・・ギア部位
３ｃ・・・摺り割り
３ｄ・・・軸穴
４・・・回転カム部材
４ａ・・・中心軸孔
４ｂ・・・カム部
４ｃ・・・ギア部
５・・・付勢バネ
６・・・下板
６ａ・・・第１の覆面部
６ｂ・・・第１の立ち上げ部
６ｂ１・・・遊嵌孔
６ｃ・・・第２の立ち上げ部
６ｄ・・・第２の覆面部
６ｅ・・・第５の立ち上げ部
６ｅ１・・・遊嵌孔
６ｅ２・・・遊嵌孔
６ｆ・・・第３の立ち上げ部
６ｇ・・・平面部
６ｈ・・・第４の立ち上げ部
６ｈ１・・・遊嵌孔
７・・・ローラ部材
８・・・板ばね
９・・・ネジ
１０・・・電気基板
１０ａ・・・電気素子
１０ｂ・・・コネクタ
１０ｃ・・・コネクタ
１１・・・ネジ
１２・・・止め輪
【図１】
2013130745.tif 000003
【図２】
2013130745.tif 000004
【図３】
2013130745.tif 000005
【図４】
2013130745.tif 000006
【図５】
2013130745.tif 000007
【図６】
2013130745.tif 000008